(57)【要約】【課題】  例えば、屈曲可能な着座面を有する椅子において、着座面に生じる屈曲部について滑らかな曲面を保持することができるようにする。【解決手段】  クッション体２５の裏面側を、一定の張力を有する帯状の支持部材２７によって連結し、支持部材２７の張力によって屈曲部２９の表面側へ押圧力が生じるようにして、屈曲部２９が滑らかな曲線になるようにする。【選択図】        図４
2008055208.tif 000002
【特許請求の範囲】
【請求項１】
着座時に少なくとも背中の上部を支持する背もたれ上部と、腰部を支持する背もたれ下部とを備え、前記背もたれ上部および背もたれ下部が、互いに前後方向に屈曲可能として連結されたシェルと、その表面に取付けられたクッション体とを有し、前記背もたれ上部と背もたれ下部とのクッション体の裏面同士を、張力を有する支持部材によって連結したことを特徴とする椅子の背もたれ。
【請求項２】
背もたれ上部と背もたれ下部とのクッション体を、両シェルにまたがる１枚のものとした請求項１記載の椅子の背もたれ。
【発明の詳細な説明】
【技術分野】
【０００１】
本発明は、椅子の背もたれに関する。
【背景技術】
【０００２】
従来、旅客機、鉄道、自動車等の一部のシートでは、体をリラックスさせながら、読書、飲食、モニタを行ったり、外の景色が見やすいようにするために、背もたれの途中を前後に屈曲させるようにし、背もたれ下部と、背もたれ上部とを違った角度で傾斜させるようにしたものがある。このような機構を有する椅子は、様々な姿勢と、姿勢の変化に対応して、適切に体を支持させることができるという利点を有する。
【発明の開示】
【発明が解決しようとする課題】
【０００３】
しかし、従来のように、背もたれを単に分割して屈曲可能とするだけでは、屈曲部が直線的になり、着座時に、着席者の身体を体の線に沿って滑らかに支持することができず、座り心地の点で好ましくない。
【０００４】
本発明は、従来の技術が有する上述のような問題点に鑑みてなされたもので、背もたれ上部と背もたれ下部とが、互いに前後方向に屈曲可能とした椅子の背もたれにおいて、身体と接触するクッション体の接触面を、滑らかな曲線状に保持しうるようにした椅子の背もたれを提供することを目的としている。
【課題を解決するための手段】
【０００５】
本発明は、次のようにして上記課題を解決している。
(１)  着座時に少なくとも背中の上部を支持する背もたれ上部と、腰部を支持する背もたれ下部とを備え、前記背もたれ上部および背もたれ下部が、互いに前後方向に屈曲可能として連結されたシェルと、その表面に取付けられたクッション体とを有し、前記背もたれ上部と背もたれ下部とのクッション体の裏面同士を、張力を有する支持部材によって連結する。
【０００６】
(２)  上記１項において、背もたれ上部と背もたれ下部とのクッション体を、両シェルにまたがる１枚のものとする。
【発明の効果】
【０００７】
本発明によれば、次のような効果を奏することができる。
(a)請求項１の発明によると、背もたれ上部と背もたれ下部とのクッション体の裏面同士を、張力を有する支持部材によって連結しているので、身体と接触する接触面を滑らかな曲線状に保持することができる。
【０００８】
(b)請求項２の発明によると、背もたれ上部と背もたれ下部とのクッション体を、両シェルにまたがる１枚のものとすることができる。
【発明を実施するための最良の形態】
【０００９】
次に、本発明の一実施形態を、添付図面を参照しながら説明する。
【００１０】
図１及び図２は、本発明の一実施形態を備える椅子を示している。この椅子は、ベース脚(10)と、支基(12)と、脚柱(13)と、座シート(14)と、背もたれ(16)等とから構成されている。
【００１１】
ベース脚(10)には、キャスタ(18)が取り付けられている。
支基(12)の上部には、座シート(14)が設けられており、座シート(14)は、座面をなすクッション体(20a)と、クッション体(20a)を支持するシェル(20b)とからなっている。
【００１２】
シェル(20b)は、背もたれ(16)が、支基(12)の支点(12a)を中心として、後傾するのに連動して、着座部(14)が、所定の抵抗力を持って後下方に移動しうるようにして、支基(12)上に取り付けられている。
また、支基(12)は、脚柱(13)と一体をなしており、脚柱(13)とともにベース脚(10)上を回転することができるようになっている。
【００１３】
背もたれ(16)は、着席者の背中の上部、特に、胸椎から上の部分を重点的に支持する背もたれ上部(16a)と、腰部を支持する背もたれ下部(16b)とからなっている。背もたれ上部(16a)と背もたれ下部(16b)とは、それぞれのシェル(24a)(24b)の左右両側端に内蔵された蝶番(22)(22)によって、回動可能に連結されている。
図３、図４に示すように、シェル(24a)(24b)の表面には、ウレタン等のクッション体(25)がまたがって取り付けられている。
【００１４】
なお、本実施形態では、クッション体(25)は、シェル(24a)(24b)にまたがる１枚のクッション体を使用しているが、背もたれ上部(16a)と背もたれ下部(16b)に、それぞれ別体をなすクッション体を取り付けてもよい。
【００１５】
図２に示すように、これらのクッション体(25)の裏面には、テープ状の支持部材(27)が屈曲部(29)にまたがって、３箇所、連結されており、一定の張力がクッション体(25)の裏面に付与されている。
なお、この支持部材(27)の材質としては、所定の張力を有する布、ワイヤ、ばね等が好適である。
【００１６】
背もたれ下部(16b)と座シート(14)とは、シェル(20b)、(24b)の外側面に沿って取り付けた保持管(26)によって連結されており、背もたれ下部(16b)と、座シート(14)とが同期して、２点鎖線で示すように、後方へ傾動することができるようになっている。
【００１７】
一方、背もたれ上部(16a)は、その上端部の連結片(17)によって、後方へ傾斜する支持杆(28)の上端と連結されており、座シート(14)及び背もたれ下部(16b)の後傾に伴って、支持杆(28)の上部は、２点鎖線に示すように後方へ移動し、背もたれ上部(16a)を背もたれ下部(16b)に対して、蝶番(22)回りに、２点鎖線で示すように前方に傾動させるようになっている。
なお、支持杆(28)の下端における回転中心(12b)は、支基(12)に合計３箇所設けられ、選択された所望の回転中心(12b)に支持杆(28)の下端を固定することにより、背もたれ上部(16a)の背もたれ下部(16b)に対する前傾角度を変化させることができるようになっている。
【００１８】
次に、上記椅子の作用について説明する。
【００１９】
まず、着席者が後傾すると、図１の２点鎖線で示すように、座シート(14)と背もたれ下部(16b)は同期して後傾するとともに、背もたれ上部(16a)は、支持杆(28)によって前方へ導かれて傾動する。このため、背もたれ上部(16a)と背もたれ下部(16b)との間に、連続する屈曲部が生じることになる。
【００２０】
背もたれ上部(16a)と背もたれ下部(16b)との間には、所定の張力の支持部材(27)が、クッション体(25)の屈曲部(29)にまたがって連結されている。このため、背もたれ上部(16a)と背もたれ下部(16b)とが屈曲した際、張力が大となった支持部材(27)により、両者の屈曲部(29)には、図４に示すように、表面側（矢印方向）に向かう押圧力が生じ、屈曲部(29)が直線的に極端に屈曲するのが防止される。そのため、屈曲部(29)は滑らかな曲面となり、椅子の座り心地は向上する。
【００２１】
このように、本実施形態の椅子によれば、着席者が後傾したときに、背もたれ上部(16a)を前方に傾動させながら、着席者の背中を支持するようにしているので、パソコン等のＯＡ機器を使用する場合に、頭部を前に起こしてモニタ画面を見ながら、腰部より下の部分は後傾させるリラックスした姿勢を容易に採ることができる。
【００２２】
また、後傾した際に、背もたれ上部(16a)と背もたれ下部(16b)との間に生じる屈曲部(29)は、クッション体(25)の裏面同士を連結する支持部材(27)によって前方へ押圧されるので、屈曲部(29)は、体の線に沿った滑らかな曲面となり、椅子の座り心地が向上する。
【図面の簡単な説明】
【００２３】
【図１】本発明の一実施形態を備える椅子の要部を示す側面図である。
【図２】同じく、正面図である。
【図３】図２におけるIII-III線拡大縦断面図である。
【図４】屈曲した状態における図３と同様の図である。
【符号の説明】
【００２４】
(10)ベース脚
(12)支基
(12a)支点
(12b)回転中心
(13)脚柱
(14)座シート
(16)背もたれ
(16a)背もたれ上部
(16b)背もたれ下部
(17)連結片
(18)キャスタ
(20a)クッション体
(20b)シェル
(22)蝶番
(24a)(24b)シェル
(25)クッション体
(26)保持管
(27)支持部材
(28)支持杆
(29)屈曲部
【図１】
2008055208.tif 000003
【図２】
2008055208.tif 000004
【図３】
2008055208.tif 000005
【図４】
2008055208.tif 000006